(57)【特許請求の範囲】
【請求項１】
第一連結対象物と第二連結対象物とを回動可能に連結するヒンジであって、
前記第一連結対象物に配設され、第一カム面と、前記第一カム面から突出する第二カム面とを備えるカムブロックと、
前記第二連結対象物に固定されるとともに、回動軸を介して前記カムブロックに回動可能に支持されるケースと、
前記カムブロックに対して接近又は離間する方向に移動可能に前記ケース内に収容され、前記カムブロックと反対の側に収容凹部が形成され、前記カムブロックの側に前記第一カム面と当接可能なカム受け部が形成され、前記カム受け部と前記収容凹部の底面とを連通する挿入孔部が形成され、前記収容凹部の底面において前記挿入孔部と交差するピン収容溝が形成されるスライダと、
シリンダと、前記シリンダから突出するピストンと、を備え、前記ピストンが前記シリンダに押し込まれることによって前記ピストンに減衰力を付与し、前記ピストンの先端部が前記挿入孔部に挿入された状態で前記収容凹部に収容されるダンパと、
前記スライダにおける前記ピン収容溝に収容されて前記挿入孔部に表出し、前記ピン収容溝の内部を前記ピストンの移動方向に移動可能に収容され、前記カムブロックの前記第二カム面に当接可能、かつ、前記ピストンの先端部に当接可能に配設されるピンと、
前記収容凹部の底面に当接するとともに前記スライダを前記カムブロックに接近する方向に付勢する付勢部材と、を具備し、
前記第一連結対象物と前記第二連結対象物とが接近する方向に回動すると、前記カムブロック又は前記ケースが回動して、前記カムブロックの前記第一カム面が前記スライダのカム受け部を押圧し、前記スライダが前記カムブロックから離間する方向に移動するとともに、前記第二カム面が前記挿入孔部に挿入され、前記カムブロックの前記第二カム面が前記ピンを介して前記ピストンを前記シリンダに押し込む
ことを特徴とするヒンジ。
【請求項２】
前記ピンは、前記ピン収容溝の内部で回動不能に収容される
ことを特徴とする請求項１に記載のヒンジ。
【請求項３】
前記カムブロックは、棒状の挿入部と連結され、
前記第一連結対象物に形成された挿入孔に前記挿入部が挿入されることにより、前記カムブロックが前記第一連結対象物に固定され、
前記挿入部の端面は、前記第二カム面よりも前記第二カム面の突出方向側に配設される
ことを特徴とする請求項１又は請求項２に記載のヒンジ。
【請求項４】
前記付勢部材は、圧縮バネであって、
前記ピンは、前記圧縮バネの内径よりも長く形成され、
前記圧縮バネの一端部は、前記収容凹部の底面における前記ピン収容溝の開口部に当接する
ことを特徴とする請求項１から請求項３の何れか１項に記載のヒンジ。
【請求項５】
前記付勢部材は、第一圧縮バネと、前記第一圧縮バネの内側に配設される第二圧縮バネと、で構成され、
前記ピンは、前記第二圧縮バネの内径よりも長く形成され、
前記第二圧縮バネの一端部は、前記収容凹部の底面における前記ピン収容溝の開口部に当接し、
前記スライダの前記収容凹部において、前記第一圧縮バネと当接する当接面は、前記収容凹部の底面よりも、前記カムブロックから離間する側に形成され、
前記スライダにおける前記カムブロックの側には、前記挿入部の端部を挿入可能な挿入凹部が形成される
ことを特徴とする請求項３に記載のヒンジ。
【発明の詳細な説明】
【技術分野】
【０００１】
本発明は、ヒンジの技術に関する。
【背景技術】
【０００２】
従来、本体（第一連結対象物）および原稿圧着板（第二連結対象物）を備えて構成される事務機（スキャナー、ファクス、コピー機、または、複合機等）に備えられて、事務機の本体に原稿圧着板を回動可能に連結するヒンジが知られている（特許文献１又は特許文献２を参照）。
【先行技術文献】
【特許文献】
【０００３】
【特許文献１】特開２０１１−２４７９５４号公報
【特許文献２】特開２０１４−２９１８１号公報
【０００４】
前記特許文献に記載のヒンジは、ケースと、カムブロックと、スライダと、付勢部材（巻きバネ）と、ダンパと、アームと、を具備し、ケースが事務機の本体に固定され、カムブロックが事務機の原稿圧着板に固定される。そして、事務機の本体に対して原稿圧着板が閉じる方向（原稿圧着板の回動角度が小さくなる方向）に回動したときに、カムブロックが回動する。このカムブロックの回動によって、付勢部材の付勢力に抗してスライダを押し込み、付勢部材による緩衝効果が発生するように構成される。また、カムブロックの回動によって、アームがカムブロックに当接した状態で回動してダンパのピストンのロッド部を押し込み、ダンパによる緩衝効果が発生するように構成される。
【発明の概要】
【発明が解決しようとする課題】
【０００５】
しかし、上記の如く構成されたヒンジによれば、アームをスライダ又はケースに回動可能に設ける必要があるため、アームを支持する支持部や回動軸等の構成が必要となり、ヒンジの構成が複雑となる。このため、簡易な構成で、付勢部材による緩衝効果とダンパによる緩衝効果が得られるヒンジが求められていた。
【０００６】
本発明は、以上の如き状況に鑑みてなされたものであり、簡易な構成で、付勢部材による緩衝効果とダンパによる緩衝効果が得られるヒンジを提供することを課題とする。
【課題を解決するための手段】
【０００７】
本発明の解決しようとする課題は以上の如くであり、次にこの課題を解決するための手段を説明する。
【０００８】
即ち、請求項１においては、第一連結対象物と第二連結対象物とを回動可能に連結するヒンジであって、前記第一連結対象物に配設され、第一カム面と、前記第一カム面から突出する第二カム面とを備えるカムブロックと、前記第二連結対象物に固定されるとともに、回動軸を介して前記カムブロックに回動可能に支持されるケースと、前記カムブロックに対して接近又は離間する方向に移動可能に前記ケース内に収容され、前記カムブロックと反対の側に収容凹部が形成され、前記カムブロックの側に前記第一カム面と当接可能なカム受け部が形成され、前記カム受け部と前記収容凹部の底面とを連通する挿入孔部が形成され、前記収容凹部の底面において前記挿入孔部と交差するピン収容溝が形成されるスライダと、シリンダと、前記シリンダから突出するピストンと、を備え、前記ピストンが前記シリンダに押し込まれることによって前記ピストンに減衰力を付与し、前記ピストンの先端部が前記挿入孔部に挿入された状態で前記収容凹部に収容されるダンパと、前記スライダにおける前記ピン収容溝に収容されて前記挿入孔部に表出し、前記ピン収容溝の内部を前記ピストンの移動方向に移動可能に収容され、前記カムブロックの前記第二カム面に当接可能、かつ、前記ピストンの先端部に当接可能に配設されるピンと、前記収容凹部の底面に当接するとともに前記スライダを前記カムブロックに接近する方向に付勢する付勢部材と、を具備し、前記第一連結対象物と前記第二連結対象物とが接近する方向に回動すると、前記カムブロック又は前記ケースが回動して、前記カムブロックの前記第一カム面が前記スライダのカム受け部を押圧し、前記スライダが前記カムブロックから離間する方向に移動するとともに、前記第二カム面が前記挿入孔部に挿入され、前記カムブロックの前記第二カム面が前記ピンを介して前記ピストンを前記シリンダに押し込むものである。
【０００９】
請求項２においては、前記ピンは、前記ピン収容溝の内部で回動不能に収容されるものである。
【００１０】
請求項３においては、前記カムブロックは、棒状の挿入部と連結され、前記第一連結対象物に形成された挿入孔に前記挿入部が挿入されることにより、前記カムブロックが前記第一連結対象物に固定され、前記挿入部の端面は、前記第二カム面よりも前記第二カム面の突出方向側に配設されるものである。
【００１１】
請求項４においては、前記付勢部材は、圧縮バネであって、前記ピンは、前記圧縮バネの内径よりも長く形成され、前記圧縮バネの一端部は、前記収容凹部の底面における前記ピン収容溝の開口部に当接するものである。
【００１２】
請求項５においては、前記付勢部材は、第一圧縮バネと、前記第一圧縮バネの内側に配設される第二圧縮バネと、で構成され、前記ピンは、前記第二圧縮バネの内径よりも長く形成され、前記第二圧縮バネの一端部は、前記収容凹部の底面における前記ピン収容溝の開口部に当接し、前記スライダの前記収容凹部において、前記第一圧縮バネと当接する当接面は、前記収容凹部の底面よりも、前記カムブロックから離間する側に形成され、前記スライダにおける前記カムブロックの側には、前記挿入部の端部を挿入可能な挿入凹部が形成されるものである。
【発明の効果】
【００１３】
本発明の効果として、以下に示すような効果を奏する。
【００１４】
即ち、本発明に係るヒンジによれば、簡易な構成で、付勢部材による緩衝効果とダンパによる緩衝効果を得ることができる。
【図面の簡単な説明】
【００１５】
【図１】本発明の一実施形態に係るヒンジと事務機とを示した左側面図。
【図２】閉塞状態のヒンジを示した斜視図。
【図３】同じくヒンジを示した左側面図。
【図４】同じくヒンジを示した正面図。
【図５】図４におけるＸ−Ｘ線断面図。
【図６】図４におけるＹ−Ｙ線断面図。
【図７】カムブロックと挿入部材との組付け状態を示した斜視図。
【図８】（ａ）及び（ｂ）はそれぞれスライダの後方斜視図及び前方斜視図。
【図９】（ａ）及び（ｂ）はそれぞれ開放状態のヒンジにおける図４のＸ−Ｘ線断面図及びＹ−Ｙ断面図。
【図１０】（ａ）及び（ｂ）はそれぞれ閉塞途中のヒンジにおける図４のＸ−Ｘ線断面図及びＹ−Ｙ断面図。
【発明を実施するための形態】
【００１６】
以下では、図１から図８を用いて、本発明の一実施形態に係るヒンジ１００、及び、ヒンジ１００が配設される複合機１について説明する。なお、本発明に係るヒンジは複合機にのみ適用されるものではなく、他のあらゆる連結対象物を連結することが可能である。
【００１７】
図１に示す如く、複合機１は事務機器の実施の一形態であり、本体２、原稿圧着板３、及びヒンジ１００を具備する。ヒンジ１００は本実施形態における二つの連結対象物である本体２と原稿圧着板３とを回動可能に連結する。
【００１８】
本体２は本発明に係る第一連結対象物の実施の一形態である。本体２は原稿読み取り装置、制御装置、印刷装置、表示装置および入力装置を具備する。原稿読み取り装置は本体２の上面に配置される。原稿読み取り装置は本体２の上面に載置された原稿を読み取る（原稿の画像情報を生成する）。制御装置は複合機１の各部の動作、より詳細には原稿読み取り装置、印刷装置およびＡＤＦの動作を制御する。また、制御装置は原稿読み取り装置が生成した画像情報および本体２に接続された回線（インターネット回線等）を通じて取得した画像情報を記憶することが可能である。印刷装置は原稿読み取り装置の下方に配置される。印刷装置は、制御装置が記憶した画像情報に基づいて紙に画像を印刷する。表示装置は例えば液晶パネルからなり、複合機１の動作状況等に係る情報を表示する。入力装置は例えばボタン、スイッチ等からなり、作業者が複合機１に対する指示等を入力する際に操作するものである。表示装置および入力装置は本体２の上面前端部に配置される。
【００１９】
原稿圧着板３は本発明に係る第二連結対象物の実施の一形態である。原稿圧着板３は原稿読み取り装置の上に載置された原稿を当該原稿読み取り装置に向かって押さえつける（圧着する）ことにより、当該原稿読み取り装置が原稿を読み取る際に原稿が動く（原稿読み取り装置との相対的な位置が変化する）ことを防止する。原稿圧着板３は読取前原稿収容トレイ、ＡＤＦ（Ａｕｔｏ  Ｄｏｃｕｍｅｎｔ  Ｆｅｅｄｅｒ）および読取後原稿収容トレイを具備する。ＡＤＦは読取前原稿収容トレイに積層状態で収容された複数枚の原稿を一枚ずつ順に取り出して原稿読み取り装置の上の所定の読取位置に載置し、当該原稿読み取り装置による原稿の読み取りが終了した後、当該原稿読み取り装置に載置された原稿を読取後原稿収容トレイに搬送する。
【００２０】
本実施形態における「原稿圧着板３の（本体２に対する）閉塞状態（閉じている状態）」は、図１に示す如く原稿圧着板３が本体２の上側近傍に位置する状態を指す。また、「原稿圧着板３の（本体２に対する）開放状態（開いている状態）」は、原稿圧着板３が本体２に対して回動することにより、原稿圧着板３の下面および本体２の上面が離間した状態を指す。
【００２１】
加えて、ヒンジ１００の閉塞状態、開放状態についても、原稿圧着板３の閉塞状態及び開放状態に対応した状態を指すものである。即ち、ヒンジ１００の閉塞状態とは、図２から図６に示す如くケース１０が前方に向かって延出され、ケース１０と挿入部材２４における挿入部２５とが近接した状態を指す。また、ヒンジ１００の開放状態とは、図９に示す如くケース１０と挿入部２５とが離間した状態を指す。
【００２２】
以下の説明では、図１に示す如く原稿圧着板３が本体２と当接しているときの原稿圧着板３の本体２に対する回動角度θを「０度」とし、原稿圧着板３が開く方向に回動するときに回動角度θが増加する（回動角度θの値が正になる）ものとして、原稿圧着板３及びヒンジ１００の回動角度θを定義する。
【００２３】
以下では便宜上、ヒンジ１００が複合機１に取り付けられ、かつ、原稿圧着板３が本体２に対して閉じているとき（本体２に対する原稿圧着板３の回動角度θ＝０度のとき）の複合機１の上下方向、前後方向および左右方向を基準とし、原稿圧着板３が本体２に対して閉じているときの複合機１の上下方向、前後方向および左右方向がそれぞれヒンジ１００の上下方向、前後方向および左右方向に対応するものとして、ヒンジ１００を構成する各部材を説明する。
【００２４】
図２から図６に示す如く、ヒンジ１００はケース１０、カムブロック２１、挿入部材２４、スライダ３０、ダンパ６０、第一圧縮バネ６３、第二圧縮バネ６４、ピン７０等を具備する。以下、各部材について説明する。
【００２５】
ヒンジ１００のケース１０は、一枚の金属板を折り曲げた箱状の部材であり、下方及び後方が開口した四角筒状に形成される。ケース１０の両側面には、ケース１０を形成する側面板を矩形状に切り欠いて側方に折り曲げた固定片１０ａ・１０ａが配設される。固定片１０ａ・１０ａを切り欠いた部分は開口部１１ｂ・１１ｂとして形成される。固定片１０ａ・１０ａが原稿圧着板３にネジ等の固定具で固定されることにより、ケース１０は原稿圧着板３に固定される。
【００２６】
図５及び図６に示す如く、ケース１０の内部には、スライダ３０、ダンパ６０、第一圧縮バネ６３、第二圧縮バネ６４、ピン７０等が収納される。また、ケース１０の後部には、左右方向に回動軸５０が挿通される。
【００２７】
カムブロック２１は、前方向に突出する曲面形状に形成された第一カム面２２と、第一カム面２２の中央部からさらに前方向に突出する第二カム面２３と、を備えた樹脂製部材である。カムブロック２１の後部には左右方向に貫通する挿通孔２１ａが開口されている。カムブロック２１は、挿通孔２１ａに回動軸５０が挿通されることにより、回動軸５０を介してケース１０と相対的に回動可能に軸支される。また、カムブロック２１の下部には左右方向に貫通する挿通孔２１ｂが開口されている。カムブロック２１の中央部には、カムブロック２１を上下方向に貫通する固定孔２１ｄが開口されている。固定孔２１ｄはカムブロック２１の下面に開口されている挿入部２１ｃ・２１ｃと連通している。カムブロック２１の後方下部には、前後方向に厚みを有する連結板部２１ｅが形成されている（図５を参照）。
【００２８】
カムブロック２１は挿入部材２４と連結される。挿入部材２４は板状部材を折り曲げることにより、本体２に形成された図示しない挿入孔に挿入可能な棒状に形成された部材である。挿入部材２４は、本体２に挿入される挿入部２５と、挿入部２５の上側に形成されてカムブロック２１と連結される連結部２６・２６とを備える。連結部２６・２６には、回動軸５０が挿通される挿通孔２６ａ・２６ａと、連結ピン５１が挿通される挿通孔２６ｂ・２６ｂとが開口される。連結部２６・２６の後部が左右方向に折り曲げられることにより、連結板２７・２７が形成される。連結板２７・２７には連結板２７・２７を貫通して固定孔２７ａ・２７ａが開口されている。
【００２９】
カムブロック２１と挿入部材２４とを連結する際には、図７に示す如くカムブロック２１の下方から挿入部材２４を近接させる。そして、カムブロック２１の挿入部２１ｃ・２１ｃ及び固定孔２１ｄに挿入部材２４の連結部２６・２６を挿入する。さらに、挿通孔２６ｂ・２６ｂ及び挿通孔２１ｂに連結ピン５１を挿通する（図５及び図６を参照）。加えて、連結板部２１ｅと連結板２７とをボルト５３で締結することにより、カムブロック２１と挿入部材２４とが強固に連結される。カムブロック２１と挿入部材２４とが連結した状態で、挿入部材２４が本体２の挿入孔に挿入されることにより、カムブロック２１は本体２に配設される。本実施形態において、挿入部材２４は挿入孔から延出可能に配設されている。
【００３０】
上記の如く、ヒンジ１００においては、カムブロック２１と挿入部材２４とが連結され、ケース１０と、カムブロック２１及び挿入部材２４が回動軸５０を介して回動可能に連結される。そして、ケース１０が原稿圧着板３に固定され、挿入部材２４が本体２の挿入孔に挿入されることにより、原稿圧着板３は本体２に対して回動可能に連結される。なお、ケース１０を本体２に固定し、挿入部材２４及びカムブロック２１を原稿圧着板３に固定する構成とすることも可能である。
【００３１】
図５及び図６に示すように、ヒンジ１００のスライダ３０は、カムブロック２１に当接可能に構成される。スライダ３０は、前方に開口した円筒状の収容凹部３２を有し、外形が直方体形状に形成される樹脂製の部材である。スライダ３０は、スライダ３０の底板をカムブロック２１側に向け、スライダ３０の外側の面がケース１０の内側の面（ケース１０の上板及び両側板の内側の面）に当接するようにして、ケース１０に収容される。スライダ３０は、カムブロック２１に接近する方向およびカムブロック２１から離間する方向に移動可能に構成される。
【００３２】
スライダ３０には、カムブロック２１の側である後面に、第一カム面２２と当接可能なカム受け部３１が形成される。また、カム受け部３１と収容凹部３２の底面３３ｂとを連通する挿入孔部３０ａが形成される。図５及び図６に示す如く、挿入孔部３０ａには第二カム面２３が挿入される。さらにスライダ３０の内周面には、収容凹部３２の底面３３ｂにおいて挿入孔部３０ａと交差するピン収容溝３０ｂが、長手方向を左右方向に向けて形成される。
【００３３】
スライダ３０の収容凹部３２は、底面３３ｂの周囲に、底面３３ｂよりもカムブロック２１から離間する側である前側に当接面３３ａが形成された二段形状となっている。また、図５及び図６に示す如く、スライダ３０のカムブロック２１の側における下部には、挿入部材２４の挿入部２５の上端を挿入可能な挿入凹部３０ｃが形成されている。
【００３４】
図５または図６に示すように、ヒンジ１００は付勢部材として第一圧縮バネ６３及び第二圧縮バネ６４を備える。第一圧縮バネ６３はスライダ３０の収容凹部３２に収容される。第二圧縮バネ６４は第一圧縮バネ６３よりも小径に形成され、第一圧縮バネ６３の内側に配設される。第一圧縮バネ６３は収容凹部３２における当接面３３ａとケース１０の前側内周面とに当接する。第二圧縮バネ６４は収容凹部３２における底面３３ｂとケース１０の前側内周面とに当接する。これにより、第一圧縮バネ６３及び第二圧縮バネ６４はスライダ３０をカムブロック２１に接近する方向に付勢している。
【００３５】
ヒンジ１００のダンパ６０は、シリンダ６１と、シリンダ６１から突出するピストン６２とを備える流体ダンパ装置である。ダンパ６０は、シリンダ６１内に非圧縮性の流体の一種であるシリコンオイルが充填されて構成される。ダンパ６０は、ピストン６２がシリンダ６１から左方に突出するとともにピストンの胴部（不図示）がシリンダ６１内に位置するようにピストン６２が配置される。ダンパ６０は、シリンダ６１と略同軸上にその軸方向にピストン６２が移動可能に設けられて構成される。
【００３６】
ヒンジ１００のダンパ６０は、ピストン６２に外力を加えて、ピストン６２のシリンダ６１からの突出長が短くなるようにピストン６２を移動させることによってシリコンオイルの粘性抵抗により反力（ピストン６２を押し返す力）が発生し、緩衝効果が発生するように構成される。即ち、ピストン６２がシリンダ６１に押し込まれることによってピストン６２に減衰力が付与される。ダンパ６０は、ピストン６２におけるシリンダ６１からの突出長が短くなるようにピストン６２を移動させた後、前記ピストン６２に加えられる外力を解除した場合、シリンダ６１内の戻しバネ（不図示）の付勢力によって、ピストン６２におけるシリンダ６１からの突出長が長くなるようにピストン６２が移動するように構成される。
【００３７】
ヒンジ１００のダンパ６０は、図６に示す如く、ピストン６２の先端部が挿入孔部３０ａに挿入された状態で、収容凹部３２の内部におけるダンパ６０は第二圧縮バネ６４の内側に配設される。
【００３８】
図５及び図６に示すように、スライダ３０に形成されるピン収容溝３０ｂには、ピン収容溝３０ｂに沿って形成されたピン７０が収容される。ピン７０の中央部分は挿入孔部３０ａに表出する。ピン７０は第二圧縮バネ６４の内径よりも長く形成される。そして、第二圧縮バネ６４の一端部は収容凹部３２の底面３３ｂにおけるピン収容溝３０ｂの開口部に当接する。これにより、第二圧縮バネ６４はピン７０がピン収容溝３０ｂから脱落することを防いでいる。
【００３９】
また、ピン７０はピン収容溝３０ｂの内部をピストン６２の移動方向に移動可能に収容されることにより、カムブロック２１の第二カム面２３に当接可能、かつ、ピストン６２の先端部に当接可能に配設される。本実施形態において、ピン７０は軸心方向と直交する断面で楕円形に形成されており、楕円の長手方向はピン収容溝３０ｂの幅よりも大きくなっている。即ち、ピン７０はピン収容溝３０ｂの内部で軸心回りに回動不能に配設されている。
【００４０】
ピン７０は、ヒンジ１００の閉塞状態からケース１０とカムブロック２１とが回動し、その回動角度が所定角度（本実施形態においては約２０度（図１０を参照））になるまで、ピンはピストン６２の先端部と当接している。詳細には、ケース１０とカムブロック２１との回動角度が所定角度より小さい範囲では、ピン７０は第二カム面２３に押し込まれることにより、ピストン６２を押圧する。
【００４１】
図９及び図１０に示すように、ヒンジ１００は、複合機１の本体２（第一連結対象物）に対して原稿圧着板３（第二連結対象物）が閉じる方向（ケース１０とカムブロック２１との回動角度が小さくなる方向）に回動し、本体２と原稿圧着板３とが接近すると、カムブロック２１に対してケース１０が回動する。
【００４２】
そして、ヒンジ１００において、カムブロック２１の第一カム面２２がスライダ３０のカム受け部３１を押圧し、スライダ３０が第一圧縮バネ６３及び第二圧縮バネ６４の付勢力に抗してカムブロック２１から離間する方向に移動する。また、ケース１０とカムブロック２１との回動角度が所定角度より小さくなると、第二カム面２３が挿入孔部３０ａに挿入され、カムブロック２１の第二カム面２３がピン７０を介してピストン６２をシリンダ６１に押し込む。これにより、ピストン６２がシリンダ６１からの突出長が短くなるように移動する。
【００４３】
このように、ヒンジ１００は、複合機１の本体２に対して原稿圧着板３が閉じる方向に、ケース１０とカムブロック２１とが回動すると、ピン７０がピストン６２を押し込むとともにスライダ３０が移動して、ダンパ６０による緩衝効果と、第一圧縮バネ６３及び第二圧縮バネ６４による緩衝効果と、が発生するように構成される。
【００４４】
上記の如く、本実施形態に係るヒンジ１００によれば、ピン７０を介してダンパ６０のピストン６２を押し込む構成としている。これにより、アーム等をスライダ又はケースに回動可能に設ける必要がないため、ヒンジ１００の構成を簡易にすることができる。即ち、簡易な構成で、第一圧縮バネ６３及び第二圧縮バネ６４による緩衝効果とダンパ６０による緩衝効果とを得ることができるのである。
【００４５】
また、本実施形態に係るヒンジ１００において、ピン７０はピン収容溝３０ｂの内部で軸心回りに回動不能に配設されている。これにより、原稿圧着板３を閉塞する際に、ピン７０のうち所定の部分をダンパ６０のピストン６２に当接させることができる。即ち、ピン７０がピストン６２を押し込む際に、ピン７０とピストン６２との間で摩擦が発生しないため、ピン７０とピストン６２との摩耗を抑制することが可能となる。なお、ピン７０がピン収容溝３０ｂの内部で軸心回りに回動不能に配設される構成であれば、ピン７０の断面形状は楕円以外の形状（矩形等）とすることも可能である。
【００４６】
また、本実施形態に係るヒンジ１００において、挿入部材２４における挿入部２５の前側上端面は、第二カム面２３よりも第二カム面２３の突出方向側に配設される。これにより、本体２と原稿圧着板３との間に厚みのある本等の資料を載置した場合、挿入部２５と資料との距離を小さくすることができる。即ち、原稿圧着板３を閉塞する際に、資料を支点とする「てこの原理」を作用させて、挿入部２５を挿入孔から延出しやすくすることができる。
【００４７】
また、本実施形態に係るヒンジ１００において、スライダ３０におけるカムブロック２１の側には、挿入部２５の前側上端部を挿入可能な挿入凹部３０ｃが形成される。これにより、原稿圧着板３を閉塞した際に、挿入部２５の前側上端部が挿入凹部３０ｃに挿入されるため、挿入部２５とスライダ３０との干渉を防止することができる。
【符号の説明】
【００４８】
１  ヒンジ
１０  ケース
２１  カムブロック
３０  スライダ
６０  ダンパ
６２  ピストン
７０  ピン
１００  ヒンジ
【図１】
0006582289.tif 000002
【図２】
0006582289.tif 000003
【図３】
0006582289.tif 000004
【図４】
0006582289.tif 000005
【図５】
0006582289.tif 000006
【図６】
0006582289.tif 000007
【図７】
0006582289.tif 000008
【図８】
0006582289.tif 000009
【図９】
0006582289.tif 000010
【図１０】
0006582289.tif 000011